【手続補正書】
【提出日】平成28年5月20日(2016.5.20)
【手続補正１】
【補正対象書類名】明細書
【補正対象項目名】０００１
【補正方法】変更
【補正の内容】
【０００１】
ファイルの更新を管理するファイル管理システム、画像処理装置、管理装置とその処理方法及びプログラムに関する。
【手続補正２】
【補正対象書類名】明細書
【補正対象項目名】０００８
【補正方法】変更
【補正の内容】
【０００８】
そこで、本願発明の目的は、ページの更新確認を容易にする仕組みを提供することである。
【手続補正３】
【補正対象書類名】明細書
【補正対象項目名】０００９
【補正方法】変更
【補正の内容】
【０００９】
本発明の目的を達成するために、画像処理装置とファイルを管理する管理装置とを含むファイル管理システムであって、前記画像処理装置は、処理対象とするファイルを選択するファイル選択手段と、前記ファイルのページ位置を指定する位置指定手段と、前記位置指定手段により指定されたページ位置と前記ファイルのファイル識別情報とを管理装置に送信する送信手段と、前記位置指定手段により指定されたページ位置であって、前記管理装置から受信したファイルを印刷する印刷手段と、前記ファイル選択手段でファイルを選択し紙文書がスキャンされた場合、選択されたファイルのファイル識別情報に対応付けられているページ位置に従って得られた当該ファイルのページデータとスキャンによって得られたスキャンデータとを対比可能に表示する表示手段とを備え、前記管理装置は、前記画像処理装置から送信されたページ位置とファイル識別情報を受信する受信手段と、前記受信手段により受信したファイル識別情報に対応するファイルを前記画像処理装置に送信するファイル送信手段と、前記ファイル識別情報と前記ページ位置とを対応付けて記憶する記憶手段とを備えることを特徴とする。
【手続補正４】
【補正対象書類名】明細書
【補正対象項目名】００１０
【補正方法】変更
【補正の内容】
【００１０】
本発明によれば、ページの更新確認を容易にすることが可能となる。
【手続補正５】
【補正対象書類名】特許請求の範囲
【補正対象項目名】全文
【補正方法】変更
【補正の内容】
【特許請求の範囲】
【請求項１】
画像処理装置とファイルを管理する管理装置とを含むファイル管理システムであって、
前記画像処理装置は、
処理対象とするファイルを選択するファイル選択手段と、
前記ファイルのページ位置を指定する位置指定手段と、
前記位置指定手段により指定されたページ位置と前記ファイルのファイル識別情報とを管理装置に送信する送信手段と、
前記位置指定手段により指定されたページ位置であって、前記管理装置から受信したファイルを印刷する印刷手段と、
前記ファイル選択手段でファイルを選択し紙文書がスキャンされた場合、選択されたファイルのファイル識別情報に対応付けられているページ位置に従って得られた当該ファイルのページデータとスキャンによって得られたスキャンデータとを対比可能に表示する表示手段と
を備え、
前記管理装置は、
前記画像処理装置から送信されたページ位置とファイル識別情報を受信する受信手段と、
前記受信手段により受信したファイル識別情報に対応するファイルを前記画像処理装置に送信するファイル送信手段と、
前記ファイル識別情報と前記ページ位置とを対応付けて記憶する記憶手段と
を備えることを特徴とするファイル管理システム。
【請求項２】
前記管理装置は、
前記受信手段により受信したファイル識別情報に対応するファイルをチェックアウトするチェックアウト手段と、
前記チェックアウト手段によりチェックアウトされたファイルと前記スキャンデータとを用いてファイルを生成し、前記チェックアウトされたファイルをチェックインするチェックイン手段と
を更に備えることを特徴とする請求項１に記載のファイル管理システム。
【請求項３】
前記管理装置は、
前記受信手段により受信したページ位置に従って、前記ファイル識別情報に対応するファイルの対象ページの印刷データを画像処理装置に送信する印刷データ送信手段を更に備え、
前記画像処理装置の印刷手段は、前記管理装置から受信した印刷データを用いて印刷することを特徴とする請求項１又は２に記載のファイル管理システム。
【請求項４】
前記位置指定手段は、前記選択されたファイルで更新するページ位置又は追加するページ位置を指定し、
前記印刷手段は、前記位置指定手段により追加するページ位置の指定がされた場合に前記ファイルに対する印刷をせず、前記位置指定手段により更新するページ位置の指定がされた場合に前記ファイルに対する印刷をすることを特徴とする請求項１乃至３のいずれか１項に記載のファイル管理システム。
【請求項５】
前記画像処理装置は、
前記位置指定手段で指定されたページ位置に対応するファイルに対応するを更新するユーザ情報を選択するユーザ選択手段を更に備え、
前記送信手段は、前記ユーザ選択手段で選択されたユーザ情報とページ位置とを送信し、
前記管理装置は、
前記受信手段により前記ユーザ情報と前記ページ位置とを受信し、
前記記憶手段は、前記ファイル識別情報に対応するファイルの更新ページとして前記ページ位置と前記ユーザ情報とを対応付けて記憶することを特徴とする請求項１乃至４のいずれか１項に記載のファイル管理システム。
【請求項６】
前記ファイルを複数人で更新すべく、前記ユーザ選択手段は、前記位置指定手段で指定されたページ位置ごとに、ユーザ情報を選択させ、
前記送信手段は、複数の前記ページ位置と前記ユーザ情報とを送信することを特徴とする請求項５に記載のファイル管理システム。
【請求項７】
画像処理装置から送信されたページ位置とファイル識別情報を受信し、受信したファイル識別情報に対応するファイルを前記画像処理装置に送信し、前記ファイル識別情報と前記ページ位置とを対応付けて記憶する管理装置と通信可能な画像処理装置であって、
処理対象とするファイルを選択するファイル選択手段と、
前記ファイルのページ位置を指定する位置指定手段と、
前記位置指定手段により指定されたページ位置と前記ファイルのファイル識別情報とを管理装置に送信する送信手段と、
前記位置指定手段により指定されたページ位置であって、前記管理装置から受信したファイルを印刷する印刷手段と、
前記ファイル選択手段でファイルを選択し紙文書がスキャンされた場合、選択されたファイルのファイル識別情報に対応付けられているページ位置に従って得られた当該ファイルのページデータとスキャンによって得られたスキャンデータとを対比可能に表示する表示手段と
を備えることを特徴とする画像処理装置。
【請求項８】
処理対象とするファイルを選択し、前記ファイルのページ位置を指定し、指定されたページ位置と前記ファイルのファイル識別情報とを管理装置に送信し、前記指定されたページ位置であって、前記管理装置から受信したファイルを印刷し、前記ファイルを選択し紙文書がスキャンされた場合、選択されたファイルのファイル識別情報に対応付けられているページ位置に従って得られた当該ファイルのページデータとスキャンによって得られたスキャンデータとを対比可能に表示する画像処理装置と通信可能な管理装置であって、
前記画像処理装置から送信されたページ位置とファイル識別情報を受信する受信手段と、
前記受信手段により受信したファイル識別情報に対応するファイルを前記画像処理装置に送信するファイル送信手段と、
前記ファイル識別情報と前記ページ位置とを対応付けて記憶する記憶手段と
を備えることを特徴とする管理装置。
【請求項９】
画像処理装置とファイルを管理する管理装置とを含むファイル管理システムの処理方法であって、
前記画像処理装置が、
処理対象とするファイルを選択するファイル選択ステップと、
前記ファイルのページ位置を指定する位置指定ステップと、
前記位置指定ステップにより指定されたページ位置と前記ファイルのファイル識別情報とを管理装置に送信する送信ステップと、
前記位置指定ステップにより指定されたページ位置であって、前記管理装置から受信したファイルを印刷する印刷ステップと、
前記ファイル選択ステップでファイルを選択し紙文書がスキャンされた場合、選択されたファイルのファイル識別情報に対応付けられているページ位置に従って得られた当該ファイルのページデータとスキャンによって得られたスキャンデータとを対比可能に表示する表示ステップと
を実行し、
前記管理装置が、
前記画像処理装置から送信されたページ位置とファイル識別情報を受信する受信ステップと、
前記受信ステップにより受信したファイル識別情報に対応するファイルを前記画像処理装置に送信するファイル送信ステップと、
前記ファイル識別情報と前記ページ位置とを対応付けて記憶する記憶ステップと
を実行することを特徴とする処理方法。
【請求項１０】
画像処理装置から送信されたページ位置とファイル識別情報を受信し、受信したファイル識別情報に対応するファイルを前記画像処理装置に送信し、前記ファイル識別情報と前記ページ位置とを対応付けて記憶する管理装置と通信可能な画像処理装置の処理方法であって、
前記画像処理装置が、
処理対象とするファイルを選択するファイル選択ステップと、
前記ファイルのページ位置を指定する位置指定ステップと、
前記位置指定ステップにより指定されたページ位置と前記ファイルのファイル識別情報とを管理装置に送信する送信ステップと、
前記位置指定ステップにより指定されたページ位置であって、前記管理装置から受信したファイルを印刷する印刷ステップと、
前記ファイル選択ステップでファイルを選択し紙文書がスキャンされた場合、選択されたファイルのファイル識別情報に対応付けられているページ位置に従って得られた当該ファイルのページデータとスキャンによって得られたスキャンデータとを対比可能に表示する表示ステップと
を実行することを特徴とする処理方法。
【請求項１１】
処理対象とするファイルを選択し、前記ファイルのページ位置を指定し、指定されたページ位置と前記ファイルのファイル識別情報とを管理装置に送信し、前記指定されたページ位置であって、前記管理装置から受信したファイルを印刷し、前記ファイルを選択し紙文書がスキャンされた場合、選択されたファイルのファイル識別情報に対応付けられているページ位置に従って得られた当該ファイルのページデータとスキャンによって得られたスキャンデータとを対比可能に表示する画像処理装置と通信可能な管理装置の処理方法であって、
前記管理装置が、
処理対象とするファイルを選択し、前記ファイルのページ位置を指定し、指定されたページ位置と前記ファイルのファイル識別情報とを管理装置に送信し、前記指定されたページ位置であって、前記管理装置から受信したファイルを印刷し、前記ファイルを選択し紙文書がスキャンされた場合、選択されたファイルのファイル識別情報に対応付けられているページ位置に従って得られた当該ファイルのページデータとスキャンによって得られたスキャンデータとを対比可能に表示する画像処理装置と通信可能な管理装置であって、
前記画像処理装置から送信されたページ位置とファイル識別情報を受信する受信ステップと、
前記受信ステップにより受信したファイル識別情報に対応するファイルを前記画像処理装置に送信するファイル送信ステップと、
前記ファイル識別情報と前記ページ位置とを対応付けて記憶する記憶ステップと
を実行することを特徴とする処理方法。
【請求項１２】
前記請求項９乃至前記請求項１１に記載の処理方法を実行するためのプログラム。